(57)【要約】【課題】数少ない電球、例えば、１個の電球で斬新な装飾効果を得ることができ、装飾パターンの変更なども必要に応じて自由に行うことができ、しかも安価な装飾を可能ならしめる装飾用電球を提供する。【解決手段】発光ダイオードを光源にして口金１の内部に設け、口金１と組合わせたバルブ４の前部に、光源からの光を反射して径方向外方に向かわせる反射面５、６と、光透過性の材料で形成された装飾板７を設け、さらに、装飾板７に反射面５、６からの反射光を装飾板の前方に向けて再度反射させる第２反射面９を設け、その第２反射面９が模様、文字、ロゴ等による表示部を構成しているものにしてこれを装飾用電球となした。【選択図】  図３
2004253238.tif 000002
【特許請求の範囲】
【請求項１】
発光ダイオードを光源にして口金の内部に設けた装飾用電球であって、口金と組合わせたバルブに光源からの光を反射して径方向外方に向かわせる反射面を設け、さらにこのバルブの外周に前記反射面を取り巻く光透過性の材料で形成された装飾板を設け、なおかつ、前記装飾板に前記反射面からの反射光を装飾板の前方または後方に向けて再度反射させる第２反射面を設け、その第２反射面が模様、文字、ロゴ等による表示部を構成している装飾用電球。
【請求項２】
バルブの反射面をバルブの軸心に対して略４５°傾いた先細テーパ面にしてバルブの先端外周に設け、さらに、前記装飾板に前記テーパ面の反射面に対応させた円錐凹部を設け、この円錐凹部と前記テーパ面の反射面を嵌合面にして装飾板をバルブに対して着脱自在に取り付けた請求項１記載の装飾用電球。
【請求項３】
バルブの前面に略４５°の頂角をもつ円錐凹部を設け、この円錐凹部のテーパ面も反射面にして光源からの光を径方向外方に向かわせる反射面の面積を増加させた請求項１または２に記載の装飾用電球。
【発明の詳細な説明】
【０００１】
【発明の属する技術分野】
この発明は、簡単かつ安価な構成で優れた装飾効果を発揮する装飾用電球に関する。
【０００２】
【従来の技術】
発光ダイオード（ＬＥＤ素子）は、一般の電球に比べて光出力が小さく、照明用などとしては適さないと考えられていたが、最近では光出力の高い発光ダイオードが出現し、また、小さな基板上に複数の微小ダイオードチップを高密度実装することも可能になったことから、発光ダイオードを光源にした照明用あるいは電飾用の電球が提供されるようになってきた。この発光ダイオードを光源とする電球は、電力消費が少なく、耐久性にも優れる。
【０００３】
一方、反射型電球の一種と考えられる電球で、発光ダイオードを光源として用い、その光源からの光を光源の前方に配置された先広がりテーパの反射面によって外周方向に反射させるものが既に知られている。
【０００４】
【発明が解決しようとする課題】
従来行われている電飾は、数多くの電球を使用し、配置、配列や色の組合わせ、点滅などで電飾効果を生じさせているが、周知の電球による電飾は斬新さに欠ける。また、電球の使用数が少ない安価な電飾装置では印象深い感じを与えることができず、点滅以外の方法による電飾パターンの変更も容易でない。
【０００５】
反射型電球や通常の照明用電球を使用して周囲に配置した装飾体を間接的に照らすことも行われているが、この場合も同様に斬新な感じが得られず、装飾パターンの変更もままならない。
【０００６】
この発明は、数少ない電球、例えば、電球の数が１個の場合にも斬新な装飾効果を得ることができ、さらに、装飾パターンの変更なども必要に応じて自由に行うことができ、しかも照明を利用した安価な装飾を可能ならしめることを課題としている。
【０００７】
【課題を解決するための手段】
上記の課題を解決するため、この発明においては、口金と組合わせたバルブに口金の内部に設けられた光源（発光ダイオード）からの光を反射して径方向外方に向かわせる反射面を設け、さらにこのバルブの外周に前記反射面を取り巻く光透過性の材料で形成された装飾板を設け、なおかつ、前記装飾板に前記反射面からの反射光を装飾板の前方または後方に向けて再度反射させる第２反射面を設け、その第２反射面が模様、文字、ロゴ等による表示部を構成している装飾用電球を提供する。
【０００８】
なお、この発明の電球は、発光ダイオードを光源としているので、バルブに対するガスの封入は無用である。
【０００９】
この電球は、バルブの反射面をバルブの軸心に対して略４５°傾いた先細テーパ面にしてバルブの先端外周に設け、さらに、前記装飾板に前記テーパ面の反射面に対応させた円錐凹部を設け、この円錐凹部と前記テーパ面の反射面を嵌合面にして装飾板をバルブに対して着脱自在に取り付けたものにすることができる。
【００１０】
また、バルブの前面に略４５°の頂角をもつ円錐凹部を設け、この円錐凹部のテーパ面も反射面にして光源からの光を径方向外方に向かわせる反射面の面積をさらに増加させることもできる。
【００１１】
【作用】
この発明の電球は、光源からの光がバルブに設けた反射面によって径方向外方に向けて反射され、その反射光が装飾板の内部を通り、装飾板に設けた第２反射面に当たってここで装飾板の前方に向けて再度反射される。このため、装飾板を前方から見ると、装飾模様や文字、ロゴ等の表示部を構成している第２反射面が輝いた状態になる。
【００１２】
その輝き方は、光源から第２反射面の各部までの距離、その第２反射面の向きや大きさ、傾き角などによって一様ではなく、輝度に強弱が生じるため、表示部に立体感が生じて従来に無い斬新な印象を与えることができる。
【００１３】
また、光源である発光ダイオードには、赤、アンバー、黄、緑、青などの光を発するものがあり、色違いの発光ダイオードを有する電球を複数組み合わせて多色装飾を行うこともできる。口金の内部に点滅回路を組み込んで自己点滅型の電球となすこともできる。
【００１４】
さらに、バルブと装飾板を着脱自在にしておけば装飾板を簡単に交換することができ、その装飾板の交換によって装飾内容を自由に変更することも可能になる。
【００１５】
このほか、バルブの前面に円錐凹部を設けたものは、バルブに設けた反射面の面積がさらに広がり、表示部の輝きが増して装飾効果がさらに高まる。
【００１６】
【発明の実施の形態】
以下、この発明の電球の実施形態を添付図に基づいて説明する。図１乃至図４に示すように、この装飾用電球は、口金１と、その口金１の内部に設ける基板２と、基板２上に実装した複数個の発光ダイオード３と、基板２の裏面に設ける発光ダイオード点灯用或いは点滅用の回路（図示せず、これは抵抗、コンデンサ、トランジスタなどで構成される）と、口金１の前部に固定した樹脂あるいはガラス製のバルブ４と、そのバルブ４の前部に設ける反射面５、６と、アクリル樹脂等の光透過性材料で形成された装飾板７とで構成されている。電球の内部（バルブ４の内側）は大気雰囲気でよい。また、発光ダイオード３は図示のチップタイプのものが高密度実装ができて好ましい。
【００１７】
バルブ４は、先端外周部に先細テーパ部を設け、そのテーパ部の傾き角４５°のテーパ面を反射面５となしている。また、前面に頂角４５°の円錐凹部を設け、その円錐凹部のテーパ面を反射面６となしている。反射面５、６は、光源である発光ダイオード３が発した光の大部分を径方向外方に向けて反射させる。円錐凹部によって構成される反射面６は、反射面の総面積を増加させて反射面５の内側を通る光も反射させる働きをするが、必須の要素ではなく、必要に応じて設ければよい。
【００１８】
装飾板７は、テーパ面５に対応させた円錐凹部８を裏面に有し、その円錐凹部８にバルブ４の先端のテーパ部を嵌め込むようにしている。
【００１９】
この装飾板７には、反射面５、６によって反射された光を前方に向けて再度反射させる反射面９が形成されている。その反射面９は、装飾板の外周面１０を図３に示すように４５°傾けて構成されるもの、装飾板の裏面や前面に彫った溝１１の溝面で構成されるもの、装飾板の内部に気泡を含ませてその気泡の内面を反射面９となすものなどが考えられ、必要があれば例示の装飾板７のように、種類の異なる反射面を併用することができる。
【００２０】
装飾板７の輪郭は任意に決定してよく、特定の形状に限定されない。また、例示の反射面９は花弁模様にしているが、広告用のロゴ、数字、記号、符号、風景や静物、動植物などを表すものであってもよい。
【００２１】
また、反射面９による光の反射は、装飾板７の前方だけでなく、後方、あるいは前後の双方に向けてなされるようにしてもよい。
【００２２】
装飾板７は、バルブ４に対して着脱自在に取り付けてもよいし、バルブ４に対して取外し不可に一体化してもよい。図４に示すようにバルブ４の中心にネジ穴１２を設けて止めネジ１３で装飾板７を締結すると装飾板７の着脱が行える。また、図５に示すように、装飾板７に係止爪１４ａを有する複数の弾性アーム１４を設け、その弾性アーム１４をバルブ４の外部に抱きつかせてバルブに係止させる方法や装飾板７の裏面にバルブ４の直筒部に外嵌される円筒を設け、その円筒をバルブの直筒部にバヨネット方式によって嵌合させるなどの方法でも装飾板７の着脱を可能ならしめることができる。
【００２３】
装飾板７を着脱自在にすれば、その装飾板７を模様の異なるものと交換したり、電球を色違いのものと交換したりして雰囲気、印象を異ならせることができるが、バルブ４とのテーパ嵌合部を透明なアクリル系接着剤などで接着して装飾板７をバルブ４に取外し不可に固着しても構わない。
【００２４】
図６に示すように、ひとつの装飾板７と複数の電球を組み合わせて用いることもできる。このような構造で色違いの電球を使用すると、美観に優れた多色装飾が行える。
【００２５】
複数の既存のカラー電球による照明では色が混じり合うのに対してその色の混じり合いが起こらず、カラフルな印象を強く与えることができる。
【００２６】
なお、装飾板７と組み合わせる電球は、図７〜図９に示すようなものであってもよい。図７の電球は、バルブ４の先端を球面１５にしてその球面１５よりも後方に反射面５を形成し、さらに、反射面５の外側を透明樹脂４ａ（ガラスでもよい）でモールドしてバルブ４の外観形状を球状にしている。
【００２７】
また、図８の電球は、バルブ４の先端を曲率半径の大きな球面にしてその後方に４５°の傾きを持つ反射面５と、凹形に湾曲した反射面１６を設け、反射面５、１６の外側を透明樹脂４ａ（ガラスでもよい）でモールドしてバルブ４の外観形状を楕円球状にしている。
【００２８】
図９の電球も、バルブ４に図８と同じ反射面５、１６を設けてそれ等の面の外周を透明樹脂４ａ（ガラスでもよい）でモールドしている。その透明樹脂４ａの外周を先広がりのテーパにし、さらに先端面をより緩やかな曲線を描く面にしており、この点を除く構成は図８の電球と変わるところがない。
【００２９】
この様な電球を用いる場合にも、装飾板７をバルブ４に対して取外し自在にしておけば、装飾板７を種類の異なるものと交換して装飾内容を自由に変えることができる。また、装飾板７を外して電球のみによる電飾を行うこともできる。
【００３０】
【発明の効果】
以上述べたように、この発明の電球は、発光ダイオードからの光をバルブに設けた反射面によって径方向外方に反射させ、その反射光を装飾板に設けた反射面によって再度反射させて装飾板の反射面で構成される表示部を輝かせるようにしたので、従来に無い斬新な装飾効果を得ることができる。
【００３１】
また、装飾板を着脱自在にしたものは、装飾の自由な変更が行える。
【００３２】
さらに、バルブに２つの反射面を設けたり、ひとつの装飾板と色違いの複数の電球を組み合わせたりして装飾効果をより高めることもでき、広告用は勿論、室内装飾用などとしても好適に利用することができる。
【００３３】
このほか、一般的な電飾と違って数多くの電球を使用する必要がなく、経済的な装飾が行える。
【図面の簡単な説明】
【図１】この発明の装飾用電球の実施形態を示す側面図
【図２】同上の電球の正面図
【図３】同上の電球の要部を示す拡大断面図
【図４】装飾板の着脱機構の一例を示す断面図
【図５】装飾板の着脱機構の他の例を示す断面図
【図６】ひとつの装飾板と複数の電球の組合わせ例を示す正面図
【図７】電球の変形例を示す側面図
【図８】電球のさらに他の変形例を示す側面図
【図９】電球のさらに他の変形例を示す側面図
【符号の説明】
１  口金
２  基板
３  発光ダイオード
４  バルブ
４ａ  透明樹脂
５、６、１６  反射面
７  装飾板
８  円錐凹部
９  反射面
１０  外周面
１１  溝
１２  ネジ穴
１３  止めネジ
１４  弾性アーム
１４ａ  係止爪
１５  球面
【図１】
2004253238.tif 000003
【図２】
2004253238.tif 000004
【図３】
2004253238.tif 000005
【図４】
2004253238.tif 000006
【図５】
2004253238.tif 000007
【図６】
2004253238.tif 000008
【図７】
2004253238.tif 000009
【図８】
2004253238.tif 000010
【図９】
2004253238.tif 000011